(57)【要約】【課題】本発明は、コンロ前又はシンク前の何れでキッチン作業を行っている場合でも、必要なものを出し入れし易く、しかも、キッチンの壁に対するキッチンキャビネットの設置位置の制限が少ない可動収納部を有するキッチンキャビネットを提供することを目的とする。【解決手段】本発明は、シンクとコンロとを備えるワークトップと、このワークトップの下に引き出しや開き戸を備えるキッチンキャビネットにおいて、前記キッチンキャビネットの幅方向の何れか一方に前記シンクが、他方に前記コンロが配置され、前記シンクとコンロの間に設けられた収納部スペースに、前記キッチンキャビネットの前方側上方へ回動する収納部を有するキッチンキャビネットである。【選択図】図２
2009095543.tif 000002
【特許請求の範囲】
【請求項１】
シンクとコンロとを備えるワークトップと、
このワークトップの下に引き出しを備えるキッチンキャビネットにおいて、
前記キッチンキャビネットの幅方向の何れか一方に前記シンクが、他方に前記コンロが配置され、
前記シンクとコンロの間に設けられた収納部スペースに、前記キッチンキャビネットの前方側上方へ回動する収納部を有するキッチンキャビネット。
【請求項２】
請求項１において、
回動する収納部が、前板と、棚板と、背板と、前記棚板の幅方向の両側に設けられた落下防止部材とを備え、
前記回動する収納部に形成される、前記落下防止部材の上端から前記前板の上端の高さまでの開口面積が、前記背板の上端から前記前板の上端の高さまでの開口面積よりも大きく設定されるキッチンキャビネット。
【請求項３】
請求項１又は２において、
回動する収納部は、棚板が水平状態を維持したまま回動するキッチンキャビネット。
【請求項４】
請求項１〜３の何れかにおいて、
棚板と落下防止部材とが一体成形されており、前方から見た断面が凹状とされたキッチンキャビネット。
【請求項５】
請求項１〜４の何れかにおいて、
棚板が複数設けられ、
収納部が前方側上方へ回動した状態では、
前記複数の棚板のうち、最も上方に位置する棚板の上面が、ワークトップと同等以上の高さとされ、
前記複数の棚板の間に収納物を出し入れ可能な開口を設けたキッチンキャビネット。
【発明の詳細な説明】
【技術分野】
【０００１】
本発明は、可動収納部を持つキッチンキャビネットに関するものであり、特には出し入れし易い回動式の収納部を有するキッチンキャビネットに関するものである。
【背景技術】
【０００２】
キッチンキャビネットにおいては、調理や洗い物などの作業に必要な調味料や器具などを、できるだけ近い位置に収納しておき、楽な姿勢で、少ない動作で出し入れしたいという要望がある。このような要望に応え、収納物を出し入れする際の負担を軽減するキッチンキャビネットとしては、調味料や器具などを収納する収納部を可動とした可動収納部を持つものが提案されている。
【０００３】
このようなキッチンキャビネットとしては、図６に示すように、キッチンキャビネットの外側面が開放する凹部を設け、この凹部内に、ワークトップの側端上方まで移動する可動収納部を設けたものがある（特許文献１）。
【０００４】
また、図７に示すように、キッチンキャビネットの側面に隣接する腰壁の内部に、昇降する可動収納部を設けたものがある（特許文献２）。
【特許文献１】特開２００５−２５３９４８号公報
【特許文献２】実開平５−９１４４５号公報
【発明の開示】
【発明が解決しようとする課題】
【０００５】
しかしながら、特許文献１に記載のキッチンキャビネットは、可動収納部がキッチンキャビネットの外側面側から出し入れされるものであるため、その設置場所は壁に面しない開放側（通路側）のキッチンキャビネット外側面に限られ、壁側には設置できないことや、キッチンキャビネット両側面が壁に面するキッチンにはそもそも設置できないという問題がある。また、可動収納部を、壁に面しない開放側（通路側）のキッチンキャビネット外側面に設けたとしても、この開放側はキッチンとリビングとを行き来する通路として用いられることが多く、人が行き来する際は、邪魔になる問題がある。さらに、キッチンでの作業は、コンロ前又はシンク前で行うことが多いが、可動収納部がキッチンキャビネットの外側面に取り付けられていると、コンロ前又はシンク前の何れか一方からは必ず離れているため、いちいち移動しなければならない。
【０００６】
また、特許文献２に記載の腰壁に内蔵された可動式収納部は、キッチンキャビネット両側面の何れかに、腰壁を有しない場合、例えば、キッチンキャビネットの両側面が開放したアイランド型キッチンや、キッチンキャビネットの両側面が腰壁でない通常の壁に隣接する場合には、設置できない問題がある。また、建物の躯体の一部に機構部を組み込むため、施工に手間が掛かるという問題がある。さらに、キッチンキャビネット両側面の何れかに位置することになるため、引用文献１と同様に、コンロ前又はシンク前の何れか一方からは必ず離れているため、いちいち移動しなければならない。
【０００７】
本発明は、このような問題を解決するためになされたものであり、コンロ前又はシンク前の何れでキッチン作業を行っている場合でも、必要なものを出し入れし易く、しかも、キッチンの壁に対するキッチンキャビネットの設置位置の制限が少ない可動収納部を有するキッチンキャビネットを提供することを目的とする。
【課題を解決するための手段】
【０００８】
本発明は以下のものに関する。
（１）  シンクとコンロとを備えるワークトップと、このワークトップの下に引き出しを備えるキッチンキャビネットにおいて、前記キッチンキャビネットの幅方向の何れか一方に前記シンクが、他方に前記コンロが配置され、前記シンクとコンロの間に設けられた収納部スペースに、前記キッチンキャビネットの前方側上方へ回動する収納部を有するキッチンキャビネット。
（２）  （１）において、回動する収納部が、前板と、棚板と、背板と、前記棚板の幅方向の両側に設けられた落下防止部材とを備え、前記回動する収納部に形成される、前記落下防止部材の上端から前記前板の上端の高さまでの開口面積が、前記背板の上端から前記前板の上端の高さまでの開口面積よりも大きく設定されるキッチンキャビネット。
（３）  （１）又は（２）において、回動する収納部は、棚板が水平状態を維持したまま回動するキッチンキャビネット。
（４）  （１）〜（３）の何れかにおいて、棚板と落下防止部材とが一体成形されており、前方から見た断面が凹状とされたキッチンキャビネット。
（５）  （１）〜（４）の何れかにおいて、棚板が複数設けられ、収納部が前方側上方へ回動した状態では、前記複数の棚板のうち、最も上方に位置する棚板の上面が、ワークトップと同等以上の高さとされ、前記複数の棚板の間に収納物を出し入れ可能な開口を設けたキッチンキャビネット。
【発明の効果】
【０００９】
本発明によれば、コンロ前又はシンク前の何れでキッチン作業を行っている場合でも、必要なものを出し入れし易く、しかも、キッチンの壁に対するキッチンキャビネットの設置位置の制限が少ない可動収納部を有するキッチンキャビネットを提供することができる。
【発明を実施するための最良の形態】
【００１０】
本発明のキッチンキャビネットの一例を、図１〜図５に示す。図１は収納部３を収納した状態（収納状態）の斜視図、図２は収納部３を回動し、開放した状態（開放状態）の斜視図を示す。図３は収納部３を収納した状態（収納状態）の縦断側面図、図４は収納部３を回動し、開放した状態（開放状態）の縦断側面図を示す。図５は、収納部３の斜視図である。
【００１１】
図１に示すように、本発明のキッチンキャビネット１の基本構成としては、シンク１２やコンロ１３を備えるワークトップ２と、その下に引き出し１４や開き戸（図示しない。）を備え、キッチンキャビネットの幅方向の何れか一方にシンク１２が、他方にコンロ１３が配置されるものが挙げられる。
【００１２】
図１、図２に示すように、シンク１２とコンロ１３の間の収納部スペース１５に、キッチンキャビネット１の前方側上方へ回動する収納部３を有する。収納部３を設ける収納部スペース１５は、キッチンキャビネット１のシンク１２とコンロ１３の間に設けられる。このように、シンク１２とコンロ１３の間に設けられた収納部スペース１５とは、キッチンキャビネット１のシンク１２とコンロ１３の間に設けられた収納部３を収納するためのスペースである。シンク１２とコンロ１３の何れにも近い位置に収納部３が配置されているため、シンク１２での洗い物や、コンロでの調理の最中でも、使用する器具や調味料などを、収納部３から出し入れするのが容易になる。
【００１３】
また、回動するとは、引き出し１４の前後方向の動き、特許文献２の可動収納部の上下方向の動きのような直線的な動きとは異なり、キッチンキャビネット１の側面から見たときに、円を描く動きをいう。そして、キッチンキャビネット１の前方側上方へ収納部３が回動するというのは、収納部３が上述したような円運動をすることから、図１、図３に示すような収納状態で、キッチンキャビネット１の内部に収納されていた収納部３が、図２、図４に示すような開放状態まで移行する段階では、収納状態の時よりも、キッチンキャビネット１の前方側を通り、かつ、上方に移動することである。
【００１４】
このように、収納状態（図１、図３）から開放状態（図２、図４）に移行する際に収納部３が回動する方向は、キッチンキャビネット１の前方側上方であり、幅方向ではないため、図２からもわかるように、キッチンキャビネット１の側面の一方又は両方が、キッチンの壁１８に面して設置されている場合でも、収納部３をキッチンキャビネット１の前方側上方へ回動させて使用することができる。特に、キッチンキャビネット１の側面の一方又は両方がキッチンの壁１８にぴったりと隣接するように設置される場合であっても、キッチンキャビネット１に設けられた収納部３の前方側に、収納物３の回動によって干渉するような障害物がない限り、支障なく、収納部３を回動させて使用することができる。このため、キッチンにおけるキッチンキャビネット１の配置の制限が少なく、設置の際の自由度が拡大する。
【００１５】
図１、図２に示すように、キッチンキャビネット１が、キッチンとこれに隣接する居室との通路に面した側面、または、通路との間の壁や腰壁（図示しない。）に面した側面を有する場合でも、収納部３は、キッチンキャビネット１の前方側上方へ回動するため、収納部３を回動させても通路側にはみ出すことがないので通路の行き来を邪魔することがなく、また、通路との間の壁や腰壁に干渉することもない。なお、キッチンとこれに隣接する居室との通路に面した側面、及び、通路との間の壁や腰壁に面した側面とを合わせて、通路等に面した側面１７という。これにより、収納部３の回動の動作を行っても、キッチンキャビネット１の前方側の作業スペースと通路側との行き来が妨げられることがなく、使い勝手のよいキッチンキャビネット１を提供することができる。
【００１６】
図５に示すように、回動する収納部３は、前板４と、棚板５と、背板７と、棚板５の幅方向の両側に設けられた落下防止部材８とを備える。この回動する収納部３に形成される、落下防止部材８の上端から前板４の上端の高さまでの開口面積Ａ２５が、背板７の上端から前板４の上端の高さまでの開口面積Ｂ２６よりも大きく設定される。ここで、開口面積Ａ２５とは、収納部３の側面において、落下防止部材８の上端から前板４の上端の高さまでの領域の面積であり、また、開口面積Ｂ２６とは、収納部３の背面において、背板７の上端から前板４の上端の高さまでの領域の面積である。これにより、回動する収納部３から収納物を出し入れする際に、前板４側や背板７側から行うよりも、落下防止部材８側から行うのを容易にすることができる。このため、回動する収納部３を、従来（特許文献１）のようにキッチンキャビネット１の通路側に面した側面１７ではなく、キッチンキャビネット１の前方側上方へ回動するように取り付けた場合においても、その幅方向の両側に位置するシンク１２とコンロ１３の何れの方向からも、収納物の出し入れを容易にすることができる。
【００１７】
図３、図４に示すように、回動する収納部３は、棚板５が水平状態を維持したまま回動するようにする。このように、棚板５が、水平状態を維持したまま、回動するようにするのは、例えば、以下の構成によって実現することができる。つまり、収納部３とキッチンキャビネット１の両側面１６、１７の何れか一方とを、２本の同じ長さのアームａ９及びアームｂ１０により連結する。この２本のアームａ９、ｂ１０は、キッチンキャビネット１の両側面１６、１７の何れか一方に固定される支点ａ１９、ｂ２０、及び、収納部３に固定される支点ｃ２１、ｄ２２によって、収納部３とキッチンキャビネット１の両側面１６、１７の何れか一方とを、回動自在に連結している。また、支点ａ１９からｃ２１を結ぶ直線と、ｂ２０からｄ２２を結ぶ直線とが、平行かつ同じ長さとなるように設定される。これにより、収納部３は、各支点ａ１９、ｂ２０、ｃ２１、ｄ２２を回転軸とし、棚板５が水平状態を維持したまま、キッチンキャビネット１の前方側上方へ回動するため、収納部３を回動させても、棚板５が常に水平状態を維持するので、棚板５に載せた収納物（図示しない。）が倒れたり、転がったりするのを抑制できる。なお、図３、図４に示した構成は、一例であり、棚板５が水平状態を維持したまま回動させることが実現できる構成であればよく、上記の構成に限定されない。
【００１８】
また、収納部３の回動の動きを、収納状態（図１、図３）及び開放状態（図２、図４）で保持するため、適宜、回動した位置でアームａ９、ｂ１０を一時的に固定できるロック機構（図示しない。）等を設けるのが望ましい。また、回動開始や停止の際の衝撃を緩衝したり、回動の速さを調節するため、適宜、アームａ９、ｂ１０と、これらのアームを連結したキッチンキャビネット１の両側面１６、１７の何れか一方との間に、ダンパー２３を設けたり、支点に回転式ダンパー（図示しない。）等を設けるのが望ましい。さらに、収納部３を回動する際のアシストとするため、適宜、アームａ９、ｂ１０と、これらのアームを連結したキッチンキャビネット１の両側面１６、１７の何れか一方との間に、コイルばね２４等を設けて、収納部３をキッチンキャビネット１の前方側上方へ回動する際に、その弾性力を利用できるようにするのが望ましい。
【００１９】
前板４は、収納部３をキッチンキャビネット１の前方側に露出しないように覆うものであり、板状で、図１及び図３に示すように、収納部３を収納した状態（収納状態）では、収納部３全体を覆い、かつ、隣接する引き出し１４等の前板と同一面に整合するようにするのが望ましい。これにより、収納状態（図１、図３）においては、従来の収納部３を有しない従来のキッチンキャビネットと同様の外観とすることができる。また、開放状態（図２、図４）でも、キッチンキャビネット１の前方側から直接収納物（図示しない。）が見えにくいため、見栄えがよい。
【００２０】
背板７は、収納部３の背面を覆う部材であり、収納物（図示しない。）が、収納部３の後方に倒れたり、落下したりするのを抑制するものである。このため、板状で、収納物（図示しない。）と３分の１以上の高さとし、棚板５と同等の幅を有するのが望ましい。また、上下方向に、複数の棚板５が設けられる場合は、これらの複数の棚板５に跨って設けられるのが望ましい。これにより、複数の棚板５のうち、どの棚板５に収納物（図示しない。）が収納されていても、収納部３の後方に倒れたり、落下したりするのを抑制することができる。
【００２１】
棚板５は、収納部３において、収納物（図示しない。）を載せて収納するものであり、その幅は１５０ｍｍから９００ｍｍ程度が望ましく、さらに望ましくは４５０〜６００ｍｍ程度である。これより狭い幅の場合は、収納物が収納できないか、もしくは、十分な収納量を確保できないことが考えられる。また、収納部３からの出し入れは、棚板５の側面側から行うことになるが、これより広い幅の場合は、棚板側面からの収納物の出し入れに支障をきたす。
【００２２】
落下防止部材８は、収納部３の棚板５に載せられた収納物（図示しない。）が、収納部３を回動する際の衝撃等によって、棚板５の側面側に倒れたり、側面側から落下するのを抑制するための部材である。そして、棚板５の側面上方で、かつ、落下防止部材８の上端が、棚板５の上面よりも上方に位置するように設けられる。落下防止部８上端の棚板５上面からの高さは、２０ｍｍから５０ｍｍ程度が望ましい。これより低い場合は、落下防止の効果が小さく、これより高い場合は、収納物（図示しない。）の出し入れに支障をきたす。これにより、収納物（図示しない。）が、棚板５の側面側に倒れたり、側面側から落下するのを抑制することができ、また、この落下防止部材８の上方側からの収納物（図示しない。）の出し入れのし易さを確保できる。なお、図２〜図５に示す、上方に位置する棚板５の下面とそのすぐ下に位置する棚板の落下防止剤８の上端との距離は、１５０ｍｍから６００ｍｍ程度が望ましい。これにより、複数の棚板５の間には、キッチンキャビネット１の側面方向に開口２７が形成され、この開口２７からの収納物の出し入れが容易になる。
【００２３】
棚板５と落下防止部材８とが一体成形されており、キッチンキャビネット１の前方から見た断面が凹状とされるのが望ましい。これにより、収納物（図示しない。）から、粉状、液状のものが棚板５上にこぼれても、これらが棚板５からこぼれるのを抑制することができるため、キッチンキャビネット１の収納部スペース１５内の清潔さを保つことができ、また、収納部３の棚板５の清掃も容易である。このため、清潔で清掃し易く、使い勝手のよいキッチンキャビネット１を提供することができる。
【００２４】
図２、図４に示すように、棚板５が複数設けられ、収納部３が前方側上方へ回動した状態（開放状態）では、複数の棚板５のうち、最も上方に位置する棚板５の上面が、ワークトップ２と同等以上の高さとなるのが望ましい。これにより、使用頻度の高い収納物（図示しない。）を、複数の棚板５のうち、最も上方に位置する棚板５に収納しておくことで、この収納物（図示しない。）は、開放状態では、常に、ワークトップ２と同等以上の高さにあることになるため、作業中であっても、出し入れが容易となるので、使い勝手のよいキッチンキャビネット１を提供することができる。また、最も上方に位置する棚板５は、開放状態においては、ロック機構等を用いて、常に、ワークトップ２と同程度の高さにあるようにすると、調理作業スペースとしての機能を果たすことも可能になる。
【実施例】
【００２５】
本発明のキッチンキャビネットの実施例を、図１〜図５に示すが、本発明は、本実施例に限定されない。図１は収納部３を収納した状態（収納状態）の斜視図、図２は収納部３を回動し、開放した状態（開放状態）の斜視図を示す。図３は収納部３を収納した状態（収納状態）の縦断側面図、図４は収納部３を回動し、開放した状態（開放状態）の縦断側面図を示す。図５は、収納部３の斜視図である。
【００２６】
図１に示すように、本実施例のキッチンキャビネット１の基本構成としては、シンク１２やコンロ１３を備えるワークトップ２と、その下に引き出し１４や開き戸（図示しない。）を備え、キッチンキャビネットの幅方向の一方にシンク１２が、他方にコンロ１３が配置される。
【００２７】
図１、図２に示すように、キッチンキャビネット１は、キッチンの壁１８に面する側面１６と、通路等に面した側面１７とを有し、シンク１２とコンロ１３の間に設けられた収納部スペース１５に、キッチンキャビネット１の前方側上方へ回動する収納部３を有する。
【００２８】
収納部３は、キッチンキャビネット１の側面から見たときに、円を描くように動き、収納状態（図１、図３）から開放状態（図２、図４）まで移行する際に、収納状態の時よりも、キッチンキャビネット１の前方側を通り、かつ、上方に移動する。
【００２９】
図５に示すように、収納部３は、前板４と、棚板５と、背板７と、棚板５の幅方向の両側に設けられた落下防止部材８とを備える。この回動する収納部３に形成される、落下防止部材８の上端から前板４の上端の高さまでの開口面積Ａ２５が、背板７の上端から前板４の上端の高さまでの開口面積Ｂ２６よりも大きく設定される。
【００３０】
収納部３は、棚板５が水平状態を維持したまま回動する。これは、以下の構成によって実現される。つまり、収納部３とキッチンキャビネット１の側面１６とを、２本の同じ長さのアームａ９及びアームｂ１０により連結する。この２本のアームａ９、ｂ１０は、キッチンキャビネット１の側面１６に固定される支点ａ１９、ｂ２０、及び、収納部３に固定される支点ｃ２１、ｄ２２によって、収納部３とキッチンキャビネット１の側面１６とを、回動自在に連結している。また、支点ａ１９からｃ２１を結ぶ直線と、ｂ２０からｄ２２を結ぶ直線とが、平行かつ同じ長さとなるように設定される。
【００３１】
また、収納部３の回動の動きを、収納状態（図１、図３）及び開放状態（図２、図４）で保持するため、回動した位置でアームａ９、ｂ１０を一時的に固定できるロック機構（図示しない。）を設ける。また、回動開始や停止の際の衝撃を緩衝したり、回動の速さを調節するため、アームａ９、ｂ１０と、これらのアームを連結したキッチンキャビネット１の側面１６との間に、ダンパー２３を設ける。さらに、収納部３を回動する際のアシストとするため、アームａ９、ｂ１０と、これらのアームを連結したキッチンキャビネット１の側面１６との間に、コイルばね２４を設けて、収納部３をキッチンキャビネット１の前方側上方へ回動する際に、その弾性力を利用できるようにする。
【００３２】
前板４は、板状で、図１、図３に示すように、収納部３を収納した状態（収納状態）では、収納部３全体を覆い、かつ、隣接する引き出し１４等の前板と同一面に整合するようにする。背板７は、板状で、複数の棚板５に跨って設けられ、最も上方に位置する棚板５の上面からの高さが、５０ｍｍとする。
【００３３】
複数の棚板５は、それぞれ落下防止部材８と一体成形され、キッチンキャビネット１の前方から見た断面が凹状とされる。その幅を６００ｍｍとする。落下防止部材８は、棚板５の側面上方で、かつ、落下防止部材８の上端が、棚板５の上面よりも上方に位置するように設けられる。落下防止部８上端の棚板５上面からの高さは、２０ｍｍとする。収納部３が前方側上方へ回動した状態（開放状態）では、複数の棚板５のうち、最も上方に位置する棚板５の上面が、ワークトップ２と同等の高さとされる。図２〜図５に示す、上方に位置する棚板５の下面とそのすぐ下に位置する棚板の落下防止剤８の上端との距離は、３００ｍｍに設定する。
【図面の簡単な説明】
【００３４】
【図１】本発明の実施例のキッチンキャビネットの収納状態を示す斜視図である。
【図２】本発明の実施例のキッチンキャビネットの開放状態を示す斜視図である。
【図３】本発明の実施例のキッチンキャビネットの収納状態を側面から見た透視図である。
【図４】本発明の実施例のキッチンキャビネットの開放状態を側面から見た透視図である。
【図５】本発明の実施例のキッチンキャビネットの収納部の斜視図である。
【図６】従来例１のキッチンキャビネットの斜視図である。
【図７】従来例２のキッチンキャビネットの斜視図である。
【符号の説明】
【００３５】
１    …  キッチンキャビネット
２    …  ワークトップ
３    …  収納部
４    …  前板
５    …  棚板
７    …  背板
８    …  落下防止部
９    …  アームａ
１０    …  アームｂ
１１    …  キャビネット
１２    …  シンク
１３    …  コンロ
１４    …  引き出し
１５    …  収納部スペース
１６    …  壁に面した側面
１７    …  通路等に面した側面
１８    …  キッチンの壁
１９    …  支点ａ
２０    …  支点ｂ
２１    …  支点ｃ
２２    …  支点ｄ
２３    …  ダンパー
２４    …  コイルばね
２５    …  開口面積Ａ
２６    …  開口面積Ｂ
２７    …  開口
【図１】
2009095543.tif 000003
【図２】
2009095543.tif 000004
【図３】
2009095543.tif 000005
【図４】
2009095543.tif 000006
【図５】
2009095543.tif 000007
【図６】
2009095543.tif 000008
【図７】
2009095543.tif 000009